(57)【特許請求の範囲】
【請求項１】
水銀蒸気と緩衝ガスを封印するチューブ状ランプ容器と、該ランプ容器内に配置されたフラッグアセンブリとを有し、
前記ランプ容器は一対のディンプルをその内側表面に有し、
前記フラッグアセンブリは支持ワイヤを有し、
該支持ワイヤの両側のそれぞれの端部は前記一対のディンプルのそれぞれに取り付けられており、
始動フラッグが前記支持ワイヤに取り付けられており、前記始動フラッグは水銀吸収物質を含む、ことを特徴とする電気ランプ。
【請求項２】
前記ディンプルは前記チューブ状ランプ容器から外側に突出する凹面構造を有し、前記支持ワイヤの両側の端部は前記ディンプルに配置されている、請求項１記載の電気ランプ。
【請求項３】
前記ディンプルは前記チューブ状ランプ容器の内側に突出する凸面構造を有し、前記支持ワイヤの両側の端部は前記ディンプルの周囲に配置されたループを有する、請求項１記載の電気ランプ。
【請求項４】
前記ランプ容器は、第１の内径を有する第１の領域と第２の内径を有する第２の領域を有し、前記第２の内径は前記第１の内径よりも小さく、前記フラッグアセンブリは前記第２の領域に配置されている、請求項１記載の電気ランプ。
【請求項５】
前記チューブ状ランプ容器は中心軸を有し、
前記一対のディンプルのそれぞれは前記中心軸を挟んで両側に配置されている、請求項1記載の電気ランプ。
【請求項６】
前記支持ワイヤは、ニッケルメッキスチール、ステンレススチール、モリブデン、またはタングステンのいずれかからなる、請求項１記載の電気ランプ。
【請求項７】
前記支持ワイヤはランプ放電中の温度でも剛性を維持する材料からなる、請求項１記載の電気ランプ。
【請求項８】
前記始動フラッグはモレキュラーシーブコーティングを幅広のステンレススチールフォイルの部分に有する、請求項１記載の電気ランプ。
【請求項９】
前記始動フラッグは不揮発性の水銀吸収物質または合金を有する、請求項１記載の電気ランプ。
【請求項１０】
前記ランプ容器は、前記ディンプルが一体成形されたガラスを有する、請求項１記載の電気ランプ。
【請求項１１】
前記ランプ容器内のコールドスポットに配置されたアマルガムを有し、前記フラッグアセンブリは前記アマルガムから離れて配置されている、請求項１記載の電気ランプ。
【請求項１２】
前記ランプ容器は閉ループ無電極ランプ容器である、請求項１記載の電気ランプ。
【請求項１３】
前記ランプ容器は、第１と第２のパラレルチューブを有し、当該チューブは一方の端部または端部近傍で第１のラテラルチューブによって結合されており、他方の端部または端部近傍で第２のラテラルチューブによって結合されており、前記フラッグアセンブリは前記第１のラテラルチューブに配置されている、請求項１２記載の電気ランプ。
【請求項１４】
前記第１のラテラルチューブは前記パラレルチューブよりも小さな直径を有する、請求項１３記載の電気ランプ。
【請求項１５】
前記第２のラテラルチューブに配置されたアマルガムを有する、請求項１３記載の電気ランプ。
【請求項１６】
前記始動フラッグは前記チューブ状ランプ容器に芯合わせされている、請求項１記載の電気ランプ。
【請求項１７】
無電極閉ループチューブ状ランプ容器と、前記ランプ容器内に配置されたフラッグアセンブリと、変成器コアと、入力巻線と、無線周波電力源とを有し、
前記ランプ容器は水銀蒸気と緩衝ガスを封印しており、一対のディンプルをその内側表面に有し、
前記フラッグアセンブリは支持ワイヤを有し、
該支持ワイヤの両側のそれぞれの端部は前記一対のディンプルのそれぞれに取り付けられており、
始動フラッグが前記支持ワイヤに取り付けられており、前記始動フラッグは水銀吸収物質を有し、
前記変成器コアは前記ランプ容器の周囲に配置されており、
前記入力巻線は前記変成器コアに配置されており、
前記無線周波電力源は前記入力巻線と接続されており、十分な無線周波エネルギーを前記水銀蒸気と前記緩衝ガスに供給し、前記ランプ容器内に放電を形成する、ことを特徴とする電気ランプアセンブリ。
【請求項１８】
前記始動フラッグはモレキュラーシーブコーティングを幅広のステンレススチールフォイルの部分に有する、請求項１７記載の電気ランプアセンブリ。
【請求項１９】
チューブ状ランプ容器を有する無電極ランプ容器と、前記ランプ容器に配置されたフラッグアセンブリと、第１の変成器コアと、第２の変成器コアと、第１および第２の入力巻線と、無線周波電力源とを有し、
前記チューブ状ランプ容器は水銀蒸気と緩衝ガスを封印しており、第１と第２のパラレルチューブを有し、当該パラレルチューブは一方の端部または端部近傍で第１のラテラルチューブによって結合され、他方の端部または端部近傍で第２のラテラルチューブによって結合され、閉ループを形成し、前記ランプ容器は一対のディンプルをその内側表面に有し、
前記フラッグアセンブリは支持ワイヤを有し、
該支持ワイヤの両側のそれぞれの端部は前記一対のディンプルのそれぞれに取り付けられており、
始動フラッグが前記支持ワイヤに取り付けられており、前記始動フラッグは水銀吸収物質を含み、
前記第１の変成器コアは前記ランプ容器の第１のラテラルチューブの周囲に配置されており、
前記第２の変成器コアは前記ランプ容器の第２のラテラルチューブの周囲に配置されており、
前記第１と第２の入力巻線は前記第１と第２の変成器コアにそれぞれ配置されており、
前記無線周波電力源は前記第１と第２の入力巻線に接続されており、十分な無線周波エネルギーを前記水銀蒸気と前記緩衝ガスに供給し、前記ランプ容器に放電を形成する、ことを特徴とする電気ランプアセンブリ。
【発明の詳細な説明】
【０００１】
【発明の属する技術分野】
本発明は、チューブ状低圧放電ランプ、より詳細にはチューブ状ランプ容器で使用するための始動フラッグ構造体に関する。始動フラッグ構造体は無電極ランプで使用されるが、その使用に制限されるものではない。
【０００２】
【従来の技術】
蛍光ランプの光出力は、ランプ容器内の水銀蒸気圧（蒸気密度）にシビアに依存する。水銀蒸気圧は反対に、ランプ容器の最冷部、いわゆるコールドスポットに凝縮する過剰液体水銀の温度によって制御される。ランプが最適雰囲気温度以下または以上の温度で駆動されると、光出力はそのピーク値との関連で３０％以上低下する。このようなことはランプが閉鎖または半閉鎖取付具内で駆動されるときには普通に発生する。光出力が低下する他に、放電中の水銀蒸気からの青スペクトル放出の寄与率が変化するため光の色が変化する。
【０００３】
低温溶解金属合金が過剰水銀とアマルガム化し、ランプ内の水銀蒸気圧を調整するためしばしば蛍光ランプ内に配置される。アマルガムは共通して排気管状部またはランプの比較的低温領域に配置される。このようなアマルガムは水銀蒸気圧を、いずれかの所定の温度における純粋水銀に比較して低下させ、これにより温度が上昇しても最適の光出力を得ることができる。このようなアマルガムはまた光出力対温度曲線において拡大されたピークをもたらし、これにより雰囲気温度の拡大された範囲を越えてもほぼ最適の光出力が得られる。
【０００４】
アマルガム蛍光ランプがターンオフされると、アマルガム自体が冷却し、ランプ内の水銀蒸気が徐々にアマルガムに吸収される。従って冷えた非駆動時のアマルガムランプ内の水銀蒸気圧は非アマルガムランプ内のそれよりも格段に低い。
【０００５】
ランプがターンオンされると、アマルガムがウォームアップして水銀蒸気を放出し、効率的なランプ動作ができるようになるまでルーメン出力は有意に低減される。このことはランプ構造に依存して数分以上を必要とする。
【０００６】
アマルガムランプのルーメンランアップ率を促進するために、少量の二次アマルガムをランプの迅速にウォームアップする領域、例えば電極近傍に配置することを共通して行う。ターンオンするときに、電極から輻射される熱は二次アマルガムからの水銀蒸気の放出を助け、その後ランプは過剰に放出された水銀がメインアマルガム体に吸収されるまで純粋水銀ランプとして動作する。このような二次アマルガムはしばしば金属フォイルフラッグに薄くコーティングされる。金属フォイルフラッグは電極取付構造体に取り付けられ、隣接する電極によって迅速に加熱されるように配置される。蛍光ランプ内の電極取付構造体に取り付けられたフラッグは米国特許第３２２７９０７号明細書、米国特許第４９７２１１８号明細書、米国特許第５０５５７３８号明細書、および米国特許第５２０４５８４号明細書に記載されている。蛍光ランプ内のアマルガム圧力制御のための自動ヒーター制御装置は米国特許第３３３６５０２号明細書に記載されている。
【０００７】
蛍光ランプの壁に対して弾性に取り付けられたバイメタル素子に配置されたアマルガムは米国特許第３６３４７１７号明細書に記載されている。
【０００８】
無電極蛍光ランプは米国特許第３５００１１８号明細書、米国特許第３９８７３３４号明細書、およびIlluminating Engineering,April 1969,pp236-244に記載されている。これら刊行物に開示されたような無電極誘導結合ランプは低圧水銀／緩衝ガス放電を放電管の中に有し、この放電管が連続的に閉じた電気経路を形成する。放電管の経路は１つまたは複数のトロイダルフェライトコアの中心を通り、放電管が変成器の二次側になる。放電への電力供給は、正弦波電圧を数ターンのワイヤ巻線に供給することによって行う。このワイヤ巻線は放電管を取り囲むトロイダルコアに巻き付けられている。１次巻線を流れる電流は時間で変化する磁束を形成し、この磁束は放電管に沿って電圧を誘導し、この電圧が放電を維持する。放電管の内側表面には蛍光物質が塗布されている。この蛍光物質は、励起された水銀原子により放出されたフォトンが照射されると可視光線を発する。前記刊行物に記載されたランプは非常に効率が悪い。さらにそれらのランプは実用にならないほど重たい。なぜならフェライト材料が変成器コアに使用されているからである。
【０００９】
高効率の無電極ランプアセンブリが米国特許出願０８／６２４０４３に開示されている。この開示されたランプアセンブリは、閉じたループを含む無電極ランプ、水銀蒸気と緩衝ガスを０．５トール以下の圧力で封印したチューブ状ランプ容器、ランプ容器周囲に配置された変成器コア、変成器コアに配置された入力巻線、および入力巻線に接続された無線周波電極源を有する。無線周波電力源は十分な無線周波エネルギーを水銀蒸気と緩衝ガスに供給し、ランプ容器内に、約２Ａ以上の放電電流を有する放電を形成する。開示されたランプアセンブリは比較的高いルーメン出力、高効率、光軸ルーメン密度を同時に有する。従って従来のＶＨＯ蛍光ランプ、高強度高圧放電ランプに対する魅力的な選択肢となる。
【００１０】
無電極蛍光ランプは電極または電極取付構造体を有していない。ガス放電は電界によって駆動される。この電界はランプのガス充填物中にフェライトコア内の発振磁界によって誘導される。従って、始動フラッグを無電極蛍光ランプに取り付ける有利な手段はない。バルブ形式の構造を有する無電極ランプのいくつかは内曲した空洞を有し、この空洞が軸方向にバルブを投影する。この空洞を始動フラッグの支持に用いることができる。始動フラッグが内曲空洞部に取り付けられた無電極蛍光ランプは、米国特許第４６２２４９５号明細書、および米国特許第５４１２２８８号明細書に記載されている。米国特許第４５２２８２０９号明細書には、ランプの内部領域にアマルガムが取り付けられたソレノイド形電界ランプが開示されている。
【００１１】
従来技術のいずれにも、閉鎖ループ、チューブ形無電極ランプ容器での使用を満足させる始動フラッグは記載されていない。
【００１２】
【発明が解決しようとする課題】
本発明の課題は、水銀蒸気と緩衝ガスを封印したチューブ状ランプを有する電気ランプにおいて、ランプ容器内に始動フラッグアセンブリを配置することである。
【００１３】
【課題を解決するための手段】
この課題は本発明により、水銀蒸気と緩衝ガスを封印するチューブ状ランプ容器と、該ランプ容器内に配置されたフラッグアセンブリとを有し、
前記ランプ容器は一対のディンプルをその内側表面に有し、
前記フラッグアセンブリは支持ワイヤを有し、該支持ワイヤは前記ディンプルに取り付けられた対向端部を有し、始動フラッグが前記支持ワイヤに取り付けられており、前記始動フラッグは水銀吸収物質を含むように構成して解決される。
【００１４】
【発明の実施の形態】
ランプ容器はその内側表面にディンプルペアを有する。フラッグアセンブリは支持ワイヤを有し、支持ワイヤの対向端部はディンプルに固定されており、始動フラッグは支持ワイヤに取り付けられている。始動フラッグは水銀吸収物質を含んでいる。
【００１５】
第１の実施例では、ディンプルが外側に拡張した凹面構造体を有し、支持ワイヤの対向端部はディンプルに配置されている。第２の実施例では、ディンプルは内側に拡張した凹面構造体を有し、支持ワイヤの対向端部はディンプルの周囲に配置されたループを有する。
【００１６】
ディンプルは有利にはチューブ状ランプ容器の中心軸線の対向する側に配置されている。始動フラッグはチューブ状ランプ容器の中心に配置することができる。これにより、始動フラッグは放電の強力な部分に配置されることになる。ランプ容器が不均一な内径を有する場所ではフラッグアセンブリは有利には直径の比較的に小さな部分に配置される。ここの場所が放電はもっとも強力であるので、始動フラッグの急速加熱を行うためである。
【００１７】
始動フラッグは不揮発性の水銀吸収物質、例えばインジウム、または不揮発性の水銀吸収合金、例えばインジウムとビスマスを有することができる。有利な実施例では始動フラッグはモレキュラーシーブコーティングを有し、このコーティングはランプ容器の処理中に熱による影響を受けない。
【００１８】
ランプ容器は閉鎖ループ無電極ランプ容器を有することができる。有利な実施例では、ランプ容器は第１と第２のパラレルチューブを有し、これらのチューブは一方の端部またはその近傍で第１のラテラルチューブによって結合され、他方の端部またはその近傍で第２のラテラルチューブによって結合されている。フラッグアセンブリは第１のラテラルチューブに配置されている。有利には第１のラテラルチューブはパラレルチューブよりも小さな内径を有する。ランプはさらに第２のラテラルチューブに配置されたアマルガムを有する。
【００１９】
本発明の別の実施例によれば、無電極、閉ループ、チューブ状ランプ容器とフラッグアセンブリを有する電気ランプアセンブリが提供される。このランプ容器は水銀蒸気と緩衝ガスを含み、またフラッグアセンブリはランプ容器内に配置されている。ランプ容器はディンプルペアをその内側表面に有する。フラッグアセンブリは支持ワイヤを有し、この支持ワイヤの対向端部はディンプルに取り付けられている。また始動フラッグはこの支持ワイヤに取り付けられている。始動フラッグは水銀吸収物質を含む。ランプアセンブリはさらに、ランプ容器の周囲に配置された変成器コアと、変成器コアに配置された入力巻線と、無線周波電力源とを有する。無線周波電力源は入力巻線に接続されており、十分な無線周波エネルギーを水銀蒸気と緩衝ガスに供給してランプ容器内に放電を形成する。
【００２０】
【実施例】
本発明による放電ランプの第１実施例が図１と図２に示されている。ランプ１０はランプ容器１２を有し、このランプ容器はチューブ状の閉ループ構造を有し、無電極である。ランプ容器１２は放電領域１４（図２）を取り囲み、補電領域は緩衝ガスと水銀蒸気を含む。蛍光膜１６をランプ容器１２の内側表面にコーティングすることができる。ＲＦソース２０からの無線周波エネルギー（ＲＦ）が第１の変成器コア２２と第２の変成器コア２４により無電極ランプ１０に誘導結合される。各変成器コア２２と２４は有利にはトロイダル構造を有し、ランプ容器１２を取り囲んでいる。ＲＦソース２０は第１変成器コア２２の巻線３０、および第２変成器コア２４の巻線３２と接続されている。導電ストリップ２６がランプ容器１２の外側表面に付着されており、ＲＦソース２０と電気接続されている。この導電ストリップは無電極ランプ１０の放電開始を支援するために使用することができる。
【００２１】
動作時にＲＦエネルギーは、ランプ容器１２内の低圧放電に変成器コア２２と2４によって誘導結合される。無電極ランプ１０は各変成器に対して二次回路として動作する。巻線３０と３２は有利には同相で駆動され、図２に示したように並列に接続することができる。変成器２２と２４はランプ容器１２の上に配置されており、変成器コア２２と２４によって放電に電圧が誘導されるようになっている。巻線３０と３２を流れるＲＦ電流は時間変化する磁束を形成する。この磁束はランプ容器１２に沿って電圧を誘導し、この電圧が放電を維持する。ランプ容器１２内の放電は紫外線を放射する。この紫外線が蛍光膜１６による可視光線の放出を刺激する。この構成では、ランプ容器１２はガラスのような可視光線を透過する材料から製造される。択一的構成では、無電極ランプが紫外線輻射源として使用される。この構成では、蛍光膜１６は省略され、ランプ容器１２は紫外線透過性材料、例えば水晶から製造される。
【００２２】
ランプ容器は有利には、高ルーメン出力に対して約１インチから約４インチの範囲の断面直径を有する。充填物質は緩衝ガスと少量の水銀を含み、水銀は水銀蒸気を形成する。緩衝ガスは有利には希ガスであり、もっとも有利にはクリプトンである。クリプトンは中程度の電力負荷でのランプ動作においてワット当たりのルーメンが大きいことが示されている。高電力負荷ではアルゴンを使用するのが有利である。ランプ容器１２は、図１に示した楕円形状も含めて円形、楕円形、または下に説明するような閉ループを形成するように接続された直列のストレートチューブ等の閉ループを形成するいずれかの形状を有することができる。
【００２３】
変成器コア２２と２４は有利には高透磁性、低損失フェライト材料、例えばマンガン鉛フェライトから製造する。変成器コア２２と２４はランプ容器１２の周囲に閉じたループを形成し、典型的にはトロイダル形状を有する。これの直径はランプ容器１２の外径よりもわずかに大きい。巻線３０と３２はそれぞれ数ターンのワイヤを有し、その大きさは一次電流を流すのに十分である。各変成器は一次電圧をステップダウンし、一次電流をステップアップするように構成されている。その係数は典型的には５から１０である。１０である。ＲＦソース２０は有利には約５０ｋＨｚから３ＭＨｚの範囲であり、もっとも有利には約１００ｋＨｚから約４００ｋＨｚの範囲である。
【００２４】
無電極蛍光ランプの第２の実施例が図３に示されている。無電極ランプ５０はランプ容器５２を有し、ランプ容器は２つのストレートチューブ５４と５６平行構成で有している。チューブ５４と５６は一方の端部で、またはその近傍でラテラルチューブ５８により接続され、他方の端部で、またはその近傍でラテラルチューブ６０により接続されている。ラテラルチューブ５８と６０の各々はストレートチューブ５４と５６との間でガスを流通させる。これにより閉ループ構造を形成する。ストレートチューブ５４と５６は他の形状よりも有利である。なぜなら想像と蛍光膜のコーティングが容易だからである。無電極ランプ容器５２に対する製造処理は特許願０８／６５０２４５に開示されている。上に述べたようにランプ容器はほとんどすべての形状で作製することができ、閉ループ放電経路を形成すれば非対称であっても良い。変成器コア６２はラテラルチューブ５８の周囲に取り付けられており、変成器コア６４はラテラルチューブ６０の周囲に取り付けられている。有利な実施例では、ストレートチューブ５４はラテラルチューブ５８と６０よりも大きな直径を有する。実施例では、ストレートチューブ５４と５６の直径は５ｃｍであり、ラテラルチューブ５８と６０の直径は３．８ｃｍである。ストレートチューブ５４は排気管状部７０を有する。
【００２５】
ラテラルチューブ５８と６０を通るランプ容器５２の横断面が図４に示されている。ラテラルチューブ６０の部分拡大断面図が図５に示されている。変成器コア６２と６４は図４と図５ではわかりやすくするために省略してある。水銀蒸気圧を制御するためのアマルガム７６は、ランプ容器５２の一方の端部でラテラルチューブ５８に隣接する排気管状部７０に配置することができる。
【００２６】
本発明の第１実施例が図４と図５に示されている。フラッグアセンブリ８０がラテラルチューブ６０内に、排気管状部７０から見てランプ容器５２の対向端部配置されている。ラテラルチューブ５８と６０は典型的にはストレートチューブ５４と５６よりも小さな直径を有しているから、単位断面積当たりの電流と放電強度はラテラルチューブの方がストレートチューブよりも大きい。フラッグアセンブリ８０は有利にはランプ容器内の直径が減少し、放電強度が上昇する領域に配置される。これはウォームアップ率を最大にし、始動フラッグの水銀蒸気放出時間を最小にするためである。この構成はランプをターンオンした後に最速のルーメンランアップをもたらす。
【００２７】
図５に示されているように、フラッグアセンブリ８０はラテラルチューブ６０内にディンプル８４と８６によってガラスランプ容器に取り付けられている。ディンプル８４と８６はランプ容器の内側表面から外側に突出しており、凹面形状を有している。ディンプル８４と８６は有利にはランプ容器５２の中心軸８８の対向側に配置されており、有利には中心軸８８に対して１８０゜離れている。しかしディンプル８４と８６は本発明の枠内で別の位置であっても良い。一般的にディンプル８４と８６はランプ寿命を通じてフラッグアセンブリ８０対向端部に保持されるように配置しなければならない。各ディンプルはランプ容器の内側表面で凹面状の断面形状を有することができ、ランプ容器は十分な深さと横方向直径をフラッグアセンブリの一方の端部を保持するために有する。ディンプルは有利にはランプ容器のガラスまたは他の材料に一部として形成されている。ディンプル８４と８６は、ランプ容器５２が加熱されるときに適切な工具によって形成することも、前記の特許願０８／６５０２４５に記載されたように鋳込み成形することもできる。
【００２８】
フラッグアセンブリ８０は支持ワイヤ９０と始動フラッグ９２を有する。始動フラッグは支持ワイヤ９０に取り付けられている。支持ワイヤ９０は十分な長さを有し、これによりその端部をディンプル８４と８６に挿入することができる。支持ワイヤはラテラルチューブ６０に交差して延在しており、これにより始動フラッグ９０は動作中に放電内に配置される。有利な実施例では、始動フラッグ９２はラテラルチューブ６０内に近似的に芯合わせされており、従って中心軸８８に配置されている。
【００２９】
前記の特許願０８／６５０２４５に記載されているように、閉ループランプ容器は有利には２つのランプ半部を溶接することによって製造する。ランプ半部の一方はディンプル８４と８６を伴って製造される。フラッグアセンブリ８０は、２つのランプ容器半部を相互に密閉する前にディンプル８４と８６に挿入できるようにしっかりと固定される。支持ワイヤ９０は十分に堅固であり、および／またはフラッグアセンブリ８０を引き続く取り扱い、輸送およびランプの動作中にその位置を維持するようばね張力を有する。有利には支持ワイヤ９０はディンプル８４と８６によって少なくともわずかに固定されており、その位置に維持されることが保証される。しかし要求されることのすべては支持ワイヤ９０の端部がディンプル８４と８６にランプの寿命を通して保持されることである。
【００３０】
支持ワイヤ９０はニッケルメッキスチール、ステンレススチール、モリブデン、タングステン、または十分な剛性を維持し、ディンプル８４と８６をその位置に保持し、始動フラッグ９２をランプ寿命を通じて、ランプ放電内に発生する温度でも支持するような他の材料とすることができる。始動フラッグ９２は有利には幅広のステンレススチールフォイルからなる。このステンレススチールフォイルは支持ワイヤ９０の中心に溶接されている。始動フラッグ９２には、比較的不揮発性の水銀吸収物資、例えばインジウム、水銀吸収合金、例えばインジウムとビスマスをコーティングすることができる。または前記の水銀吸収物質の層をモレキュラーシーブ粒子として有することができる。モレキュラーシーブ粒子を始動フラッグに使用することは特許願０８／６６１２３１に記載されている。モレキュラーシーブコーティングの利点は、２つのランプ半部を相互に結合するときの溶接動作で生じる熱による酸化の影響を受けないことである。またモレキュラーシーブコーティングには、拡張された動作寿命中のインジウムコーティングの表面湿潤化および拡散に関連する潜在的問題が回避できるという利点がある。このような特性は無電極蛍光ランプに特徴的である。
【００３１】
本発明に関連するフラッグアセンブリの実施例では、支持ワイヤがタングステンからなり、０．０１０インチの直径を有する。フラッグは幅広のステンレススチールフォイルからなり、３ｍｍ×７ｍｍの直径、０．２ｍｍの厚さを有し、約１．５ｍｇのモレキュラーシーブＵＯＰ１３Ｘ（ＵＯＰCorp. Des Plaines, Illinois 60017）がコーティングされている。
【００３２】
フラッグアセンブリはラテラルチューブ５８と６０の一方または両方に配置することができる。１つのフラッグアセンブリしか使用しない場合には、フラッグアセンブリをメインアマルガム７６からの見てランプ容器の対向端部に配置すると有利である。いくつかの蛍光ランプ構成ではメインアマルガムの使用されないことが理解できるであろう。フラッグアセンブリは有利にはランプ容器の直径が減少する部分に配置されるが、ランプ容器内のいずれかの便利な箇所に配置することができる。図３に示すようにフラッグアセンブリ８０を位置決めするためのディンプル８４と８６は有利には偏折コア６４に隣接して配置される。このことによりディンプル８４と８６、および変成器コア６４との干渉が回避される。変成器コア６４は有利にはラテラルチューブ６０の外径よりもわずかに大きな内径を有する。
【００３３】
本発明の第２実施例が図６に示されている。フラッグアセンブリ１１０はラテラルチューブ６０内に、ガラス容器に設けられたディンプル１１４と１１６によって取り付けられている。ディンプル１１４と１１６はランプ容器の内側表面から内側に突出しており、凹面形状を有する。ディンプル１１４と１１６は有利にはランプ容器の中心軸の対向側に取り付けられており、もっとも有利には中心軸を基準にして１８０゜離れて配置されている。しかしディンプル１１４と１１６は本発明の枠内で別の位置に配置することもできる。
【００３４】
フラッグアセンブリ１１０は支持ワイヤ１２０と、支持ワイヤに取り付けられた始動フラッグ１２２を有する。支持ワイヤ１２０の端部はループ１２４と１２６を対向端部に有する。これらループはディンプル１１４と１１６の周囲にそれぞれ取り付けられている。支持ワイヤ１２０はラテラルチューブ６０を横切るように延在している。これにより始動フラッグ１２２は動作中に放電の中に位置する。有利には始動フラッグ１２２は近似的にラテラルチューブ６０の中心に配置される。支持ワイヤ１２０と始動フラッグ１２２はフラッグアセンブリ８０と関連して上に述べた材料から作製することができる。内側に突出する凹面ディンプル１１４と１２６は上記のディンプル８４と８６と同じように形成することができる。ループ１２４と１２６はディンプル１１４と１１６にそれぞれ係合する。従って支持ワイヤ１２０の端部はディンプル１１４と１１６によってランプの寿命中、保持される。内側に突出する凹面ディンプル１１４と１１６は、これを変成器コア６２と６４内に、変成器コアと干渉せずに配置することができるという利点を有する。
【００３５】
図４から図６に示し、上に説明したフラッグアセンブリ構造は無電極蛍光ランプにおける使用に限定されるものではない。より具体的には、フラッグアセンブリは、ストレートチューブを有する従来のチューブ状電極付き蛍光ランプおよび小型蛍光ランプに使用することができる。それぞれの場合でフラッグアセンブリはチューブ状ランプ容器の内側表面にあるディンプルによって支持される。フラッグアセンブリはメインアマルガムを含むランプに使用することも、メインアマルガムを含まないランプで使用することもできる。ここに開示された始動フラッグ構造体は、始動フラッグを放電の強力な領域に、高速加熱のために配置することを保証する。
【００３６】
ここに説明した実施例は本発明の有利な実施形態であり、当業者であれば本発明の枠内で変形することができる。
【図面の簡単な説明】
【図１】本発明の無電極蛍光ランプの第１実施例の概略図である。
【図２】図１の無電極蛍光ランプの電気接続を示す概略図である。
【図３】無電極蛍光ランプの第２実施例の概略図である。
【図４】図３の無電極蛍光ランプの断面図である。
【図５】図４の無電極蛍光ランプの一部拡大断面図である。
【図６】第２実施例の拡大断面図である。
【符号の説明】
１０  ランプ
１２  ランプ容器
１４  放電領域
１６  蛍光膜
２２，２４  変成器コア
２６  導電ストリップ
【図１】
0004210356.tif 000002
【図２】
0004210356.tif 000003
【図３】
0004210356.tif 000004
【図４】
0004210356.tif 000005
【図５】
0004210356.tif 000006
【図６】
0004210356.tif 000007